(57)【特許請求の範囲】
【請求項１】
洗車機本体に、回転しながら車両上面をブラッシング洗浄する昇降自在な洗浄用ブラシと、車両表面を乾燥させる乾燥用ノズルとが設けられ、上記洗車機本体と車両との少なくとも一方を他方に対して相対移動させながら洗車を行う洗車機であって、
気温検出装置を備え、
ブラッシング洗浄行程中に上記洗浄用ブラシを回転させ、
上記気温検出装置により検出された気温が一定値以下になると、乾燥行程中においても上記洗浄用ブラシを回転させることを特徴とする洗車機。
【請求項２】
洗車機本体に、回転しながら車両上面をブラッシング洗浄する昇降自在な洗浄用ブラシと、車両表面を乾燥させる乾燥用ノズルとが設けられ、上記洗車機本体と車両との少なくとも一方を他方に対して相対移動させながら洗車を行う洗車機であって、
ブラッシング洗浄行程中に上記洗浄用ブラシを回転させるとともに、乾燥行程中においても上記洗浄用ブラシを回転させ、
上記乾燥行程中における洗浄用ブラシの回転は、ブラッシング洗浄行程中の回転に対して逆回転し、かつブラッシング洗浄行程中の回転よりも低速で行われることを特徴とする洗車機。
【請求項３】
乾燥行程中における洗浄用ブラシの回転は、ブラッシング洗浄行程中の回転に対して逆回転し、かつブラッシング洗浄行程中の回転よりも低速で行われることを特徴とする請求項１に記載の洗車機。
【請求項４】
洗車機本体は停止している車両に対して前後方向へ往復走行可能であり、
洗車機本体の往走行時にブラッシング洗浄行程が実施され、洗車機本体の復走行時に乾燥行程が実施されることを特徴とする請求項１から請求項３のいずれか１項に記載の洗車機。
【発明の詳細な説明】
【０００１】
【発明の属する技術分野】
本発明は、車両をブラッシング洗浄したのち乾燥させる洗車機に関する。
【０００２】
【従来の技術】
従来、この種の洗車機としては例えば図６，図７に示すように、ホームポジションＰ１と出限ポジションＰ２との間を移動経路５２に沿って前後方向へ往復走行自在な洗車機本体５３が備えられ、上記ホームポジションＰ１と出限ポジションＰ２との間には、洗浄する車両５４を停止させる車両停止ポジションＰ３が形成されている。
【０００３】
上記洗車機本体５３は正面視で門型状に形成されており、洗車機本体５３には、縦軸心５６を中心にして回転自在な左右一対のロッカーブラシ５７と、縦軸心５８を中心にして回転自在な左右一対のサイドブラシ５９と、昇降自在でかつ横軸心６０を中心にして回転自在なトップブラシ６１と、車両５４の表面に洗浄水を噴射する洗浄水アーチ６２，６３と、車両５４の表面に洗剤を噴射する洗剤アーチ６４と、車両５４の表面にワックスを噴射するワックスアーチ６５，６６と、車両５４の側面に空気を噴射して乾燥させる左右一対のサイドノズル６７と、車両５４の上面に空気を噴射して乾燥させるトップノズル６８とが設けられている。
【０００４】
これによると、車両５４を車両停止ポジションＰ３に停止させた後、洗車機本体５３を前進走行させるとともに、ロッカーブラシ５７とサイドブラシ５９とトップブラシ６１とをそれぞれ回転させ、さらに各アーチ６２〜６６から洗浄水と洗剤とワックスとを車両５４へ噴射する。
【０００５】
これにより、車両５４の車輪６９と側面下部とがロッカーブラシ５７でブラッシング洗浄され、車両５４の側面および前後面がサイドブラシ５９でブラッシング洗浄され、車両５４の上面がトップブラシ６１でブラッシング洗浄される。この際、トップブラシ６１は車両５４の上面の高さに応じて昇降される。
【０００６】
このようにして、図７に示すように、洗車機本体５３がホームポジションＰ１から出限ポジションＰ２まで前進走行する間に、ブラッシング洗浄行程が実施され、車両５４の表面がブラッシング洗浄される。
【０００７】
そして、上記洗車機本体５３が出限ポジションＰ２に達すると、各アーチ６２〜６６からの洗浄水と洗剤とワックスとの噴射が停止されるとともに、各ブラシ５７，５９，６１の回転が停止され、さらに、トップブラシ６１が上限位置まで上昇して退避し、ブラッシング洗浄行程が終了する。
【０００８】
その後、洗車機本体５３が出限ポジションＰ２からホームポジションＰ１まで戻り（後進）走行し、この間、車両５４の表面を乾燥させる乾燥行程が実施される。すなわち、上記乾燥行程としては、サイドノズル６７から空気を噴射して車両５４の側面を乾燥させ、トップノズル６８から空気を噴射して車両５４の上面を乾燥させる。そして、洗車機本体５３がホームポジションＰ１に戻ると、上記各ノズル６７，６８からの空気の噴射が停止され、乾燥行程が終了する。その後、車両５４を車両停止ポジションＰ３から発進させることにより、一連の洗車が完了する。
【０００９】
上記のような洗車機を寒冷地で使用する場合、トップブラシ６１に付着した水分が乾燥行程中に凍って、上記トップブラシ６１が上限位置において洗車機本体５３の天井部７０に氷結してしまうといった問題が発生した。
【００１０】
このような問題を解決するために、トップブラシ６１の回転を停止させてブラッシング洗浄行程を終了した後、乾燥行程を実施する直前の短時間の間だけトップブラシ６１を回転させて、トップブラシ６１の水切りを行っている。
【００１１】
【発明が解決しようとする課題】
しかしながら、上記の従来形式では、乾燥行程を実施する直前の短時間の間だけトップブラシ６１を回転させるため、トップブラシ６１の水切りが不十分となり、トップブラシ６１に残っていた水分が乾燥行程中に凍って、トップブラシ６１が上限位置において洗車機本体５３の天井部７０に氷結してしまい、トップブラシ６１が下降不能になったり、回転時にトップブラシ６１が千切れてしまうといった不具合が生じた。
【００１２】
これに対して、洗車機本体５３の天井部７０にヒーターを設け、ヒーターの熱でトップブラシ６１の氷結を防止することが考えられるが、コストアップやヒーターの熱でトップブラシ６１が熱変形するといった新たな問題が発生した。
【００１３】
本発明は、ヒーター等の加熱装置を用いずに、トップブラシの氷結を防止することが可能な洗車機を提供することを目的とする。
【００１４】
【課題を解決するための手段】
上記問題を解決するために本第１発明における洗車機は、洗車機本体に、回転しながら車両上面をブラッシング洗浄する昇降自在な洗浄用ブラシと、車両表面を乾燥させる乾燥用ノズルとが設けられ、上記洗車機本体と車両との少なくとも一方を他方に対して相対移動させながら洗車を行う洗車機であって、
気温検出装置を備え、
ブラッシング洗浄行程中に上記洗浄用ブラシを回転させ、
上記気温検出装置により検出された気温が一定値以下になると、乾燥行程中においても上記洗浄用ブラシを回転させるものである。
【００１５】
これによると、洗車機本体と車両との少なくとも一方を他方に対して相対移動させながら、洗浄用ブラシを回転させるとともに車両上面の高さに応じて昇降させる。これにより、ブラッシング洗浄行程が実施され、上記洗浄用ブラシによって車両上面がブラッシング洗浄される。
【００１６】
ブラッシング洗浄行程の後、乾燥行程が実施され、乾燥用ノズルから車両表面に向けて乾燥用空気が噴射されることにより、車両表面が乾燥される。この際、気温検出装置により検出された気温が一定値以下になると、乾燥行程中においても洗浄用ブラシを回転させておくため、洗浄用ブラシの水切りが十分に行え、ヒーター等の特別な加熱装置を用いることなく、低コストで洗浄用ブラシの凍結を防止することができ、洗浄用ブラシが上限位置において洗車機本体の天井部に氷結するといった不具合を防止することができる。
【００１７】
また、気温検出装置により検出された気温が一定値よりも高い場合は、乾燥行程中において洗浄用ブラシの回転は停止される。このように、気温が一定値よりも高く、洗浄用ブラシの凍結の心配が無い場合には、乾燥行程中に洗浄用ブラシを回転させないため、乾燥行程中に無駄な電力を消費することはなく、省エネルギーに役立つ。
【００１８】
本第２発明における洗車機は、洗車機本体に、回転しながら車両上面をブラッシング洗浄する昇降自在な洗浄用ブラシと、車両表面を乾燥させる乾燥用ノズルとが設けられ、上記洗車機本体と車両との少なくとも一方を他方に対して相対移動させながら洗車を行う洗車機であって、
ブラッシング洗浄行程中に上記洗浄用ブラシを回転させるとともに、乾燥行程中においても上記洗浄用ブラシを回転させ、
上記乾燥行程中における洗浄用ブラシの回転は、ブラッシング洗浄行程中の回転に対して逆回転し、かつブラッシング洗浄行程中の回転よりも低速で行われるものである。
【００１９】
これによると、ブラッシング洗浄行程の後、乾燥行程が実施され、乾燥用ノズルから車両表面に向けて乾燥用空気が噴射されることにより、車両表面が乾燥される。この乾燥行程中においても上記洗浄用ブラシを回転させておくことで、洗浄用ブラシの水切りが十分に行えるため、ヒーター等の特別な加熱装置を用いることなく、低コストで洗浄用ブラシの凍結を防止することができ、洗浄用ブラシが上限位置において洗車機本体の天井部に氷結するといった不具合を防止することができる。
【００２０】
この際、乾燥行程中における洗浄用ブラシの回転をブラッシング洗浄行程中の回転に対して逆回転させることによって、洗浄用ブラシから飛散した水滴はその直後の乾燥用ノズルの通過時に乾燥されるため、乾燥行程中に洗浄用ブラシから飛散した水滴が車両の表面に残存することを防止し得る。
【００２１】
また、乾燥行程中における洗浄用ブラシの回転をブラッシング洗浄行程中の回転よりも低速で行うため、万一、乾燥行程中において、洗浄用ブラシが背の高い車両の天井に取付けられたキャリア等の付属品に干渉しても、洗浄用ブラシとキャリヤ等の付属品とが受けるダメージを少なくすることができる。
【００２２】
本第３発明における洗車機は、乾燥行程中における洗浄用ブラシの回転は、ブラッシング洗浄行程中の回転に対して逆回転し、かつブラッシング洗浄行程中の回転よりも低速で行われるものである。
【００２３】
これによると、乾燥行程中における洗浄用ブラシの回転をブラッシング洗浄行程中の回転に対して逆回転させることによって、洗浄用ブラシから飛散した水滴はその直後の乾燥用ノズルの通過時に乾燥されるため、乾燥行程中に洗浄用ブラシから飛散した水滴が車両の表面に残存することを防止し得る。
【００２４】
また、乾燥行程中における洗浄用ブラシの回転をブラッシング洗浄行程中の回転よりも低速で行うため、万一、乾燥行程中において、洗浄用ブラシが背の高い車両の天井に取付けられたキャリア等の付属品に干渉しても、洗浄用ブラシとキャリヤ等の付属品とが受けるダメージを少なくすることができる。
【００２５】
本第４発明における洗車機は、洗車機本体は停止している車両に対して前後方向へ往復走行可能であり、
洗車機本体の往走行時にブラッシング洗浄行程が実施され、洗車機本体の復走行時に乾燥行程が実施されるものである。
【００２６】
これによると、停止している車両に対して洗車機本体を往走行させながら、洗浄用ブラシを回転させるとともに車両上面の高さに応じて昇降させることにより、ブラッシング洗浄行程が実施される。
【００２７】
上記ブラッシング洗浄行程の後、上記車両に対して洗車機本体を往走行させながら、乾燥用ノズルから車両表面に向けて乾燥用空気を噴射させることにより、乾燥行程が実施される。
【００２８】
【発明の実施の形態】
以下、本発明の実施の形態を図１〜図５に基づいて説明する。
図４に示すように、１は自走式の洗車機であって、ホームポジションＰ１と出限ポジションＰ２との間を移動経路２に沿って前後方向へ往復走行自在な洗車機本体３を備えている。上記ホームポジションＰ１と出限ポジションＰ２との間には、洗浄する車両４を停止させる車両停止ポジションＰ３が形成されている。
【００２９】
図１〜図３に示すように、上記洗車機本体３は正面視で門型状に形成されており、この洗車機本体３には、縦軸心６を中心にして回転自在な左右一対のロッカーブラシ７と、縦軸心８を中心にして回転自在な左右一対のサイドブラシ９と、昇降自在でかつ横軸心１０を中心にして回転自在なトップブラシ１１（洗浄用ブラシの一例）と、車両４の表面に洗浄水を噴射する洗浄水アーチ１２，１３と、車両４の表面に洗剤を噴射する洗剤アーチ１４と、車両４の表面にワックスを噴射するワックスアーチ１５，１６と、車両４の側面に空気を噴射して乾燥させる左右一対のサイドノズル１７（乾燥用ノズルの一例）と、車両４の上面に空気を噴射して乾燥させるトップノズル１８（乾燥用ノズルの一例）とが設けられている。
【００３０】
尚、上記トップブラシ１１は、布製であり、上下に揺動する左右一対の揺動アーム１９の遊端部間に回転自在に支持されており、両揺動アーム１９の揺動によって昇降する。また、上記トップブラシ１１は、モータ等の回転駆動装置２０によってＡ方向とＢ方向へ正逆回転される。ここで、図１に示すように、Ａ方向は、トップブラシ１１の正回転時の方向であり、トップブラシ１１の下部の回転方向が洗車機本体３の前進走行方向と一致する方向である。また、Ｂ方向は、トップブラシ１１の逆回転時の方向であり、トップブラシ１１の下部の回転方向が洗車機本体３の後進走行方向と一致する方向である。また、トップブラシ１１は上記乾燥用の各ノズル１７，１８よりも後方に位置している。
【００３１】
上記洗車機本体３には、制御装置２２と、操作パネル２３と、車両４の上面の高さを検出する車高検出装置２９と、気温を検出する気温検出装置２４とが設けられている。また、図４に示すように、床側２５には、上記ホームポジションＰ１に達した洗車機本体３を検出する第１検出装置２６と、上記出限ポジションＰ２に達した洗車機本体３を検出する第２検出装置２７とが設けられている。
【００３２】
上記操作パネル２３には、洗車機１を起動させる起動スイッチ２８および停止命令や洗車モード等を入力する種々の操作スイッチ３２が設けられている。また、図３に示すように、上記制御装置２２は、上記操作パネル２３の起動スイッチ２８や操作スイッチ３２からの入力信号と上記各検出装置２４，２６，２７，２９からの検出信号とに基づいて、トップブラシ１１の回転駆動装置２０とその他のブラシ７，９の回転駆動装置３３と各ノズル１７，１８の作動装置３４と各アーチ１２〜１６の作動装置３５等を制御するものである。
【００３３】
以下、上記構成における作用を説明する。
先ず、図１の実線で示すように、洗車機本体３がホームポジションＰ１に待機している状態で、車両４を車両停止ポジションＰ３に停止させる。その後、操作パネル２３の起動スイッチ２８を操作することにより、洗車が開始される。
【００３４】
この際、気温検出装置２４により検出された気温が一定値（例えば３℃）よりも高い場合は、トップブラシ１１が氷結する心配はないと判断され、制御装置２２によって通常の洗車が実施される。
【００３５】
すなわち、図４に示すように、洗車機本体３をホームポジションＰ１から出限ポジションＰ２に向かって前進走行させるとともに、ロッカーブラシ７とサイドブラシ９とトップブラシ１１とをそれぞれ回転させ、さらに各アーチ１２〜１６から洗浄水と洗剤とワックスとが車両４へ噴射させる。
【００３６】
これにより、車両４の車輪３０と側面下部とがロッカーブラシ７でブラッシング洗浄され、車両４の側面および前後面がサイドブラシ９でブラッシング洗浄され、車両４の上面がＡ方向へ正回転するトップブラシ１１でブラッシング洗浄される。この際、制御装置２２は、車高検出装置２９で検出された車両４の上面の高さに応じて、トップブラシ１１を昇降する。
【００３７】
このようにして、洗車機本体３がホームポジションＰ１から出限ポジションＰ２まで前進走行する間に、ブラッシング洗浄行程が実施され、車両４の表面がブラッシング洗浄される。
【００３８】
そして、上記洗車機本体３が出限ポジションＰ２に達すると、第２検出装置２７が洗車機本体３を検出し、この検出に基づいて、制御装置２２が、各アーチ１２〜１６からの洗浄水と洗剤とワックスとの噴射を停止するとともに、各ブラシ７，９，１１の回転を停止し、さらに、トップブラシ１１を上限位置まで上昇させて退避させ、ブラッシング洗浄行程を終了させる。
【００３９】
その後、洗車機本体３を出限ポジションＰ２からホームポジションＰ１へ向けて戻り（後進）走行させ、この間、車両４の表面を乾燥させる乾燥行程を実施させる。すなわち、上記乾燥行程としては、サイドノズル１７から空気を噴射して車両４の側面を乾燥させ、トップノズル１８から空気を噴射して車両４の上面を乾燥させる。
【００４０】
そして、洗車機本体３がホームポジションＰ１に戻ると、第１検出装置２６が洗車機本体３を検出し、この検出に基づいて、制御装置２２が、各ノズル１７，１８からの空気の噴射を停止させ、乾燥行程を終了させる。その後、車両４を車両停止ポジションＰ３から発進させることにより、一連の洗車が完了する。
【００４１】
また、気温検出装置２４により検出された気温が一定値以下の場合は、トップブラシ１１の凍結を防止する必要があると判断され、制御装置２２によって洗車中に氷結防止動作が追加される。
【００４２】
すなわち、図４に示すように、洗車機本体３をホームポジションＰ１から出限ポジションＰ２に向かって前進走行させるとともに、ロッカーブラシ７とサイドブラシ９とトップブラシ１１とをそれぞれ回転させ、さらに各アーチ１２〜１６から洗浄水と洗剤とワックスとが車両４へ噴射させる。
【００４３】
これにより、車両４の車輪３０と側面下部とがロッカーブラシ７でブラッシング洗浄され、車両４の側面および前後面がサイドブラシ９でブラッシング洗浄され、車両４の上面がトップブラシ１１でブラッシング洗浄される。この際、制御装置２２は、車高検出装置２９で検出された車両４の上面の高さに応じて、トップブラシ１１を昇降する。
【００４４】
このようにして、洗車機本体３がホームポジションＰ１から出限ポジションＰ２まで前進走行する間に、ブラッシング洗浄行程が実施され、車両４の表面がブラッシング洗浄される。
【００４５】
そして、上記洗車機本体３が出限ポジションＰ２に達すると、第２検出装置２７が洗車機本体３を検出し、この検出に基づいて、制御装置２２が、各アーチ１２〜１６からの洗浄水と洗剤とワックスとの噴射を停止するとともに、ロッカーブラシ７とサイドブラシ９との回転を停止し、さらに、図５の実線で示すように、トップブラシ１１をブラッシング洗浄行程中よりも低速でＢ方向へ逆回転させながら上限位置まで上昇させて退避させ、ブラッシング洗浄行程を終了させる。
【００４６】
その後、図５に示すように、洗車機本体３を出限ポジションＰ２からホームポジションＰ１へ向けて戻り（後進）走行させ、この間、上限位置に退避したトップブラシ１１をＢ方向へ逆回転させながら、車両４の表面を乾燥させる乾燥行程を実施する。すなわち、上記乾燥行程としては、サイドノズル１７から空気を噴射して車両４の側面を乾燥させ、トップノズル１８から空気を噴射して車両４の上面を乾燥させる。
【００４７】
そして、洗車機本体３がホームポジションＰ１に戻ると、第１検出装置２６が洗車機本体３を検出し、この検出に基づいて、制御装置２２が、各ノズル１７，１８からの空気の噴射を停止させるとともに、上記トップブラシ１１の回転を停止させ、乾燥行程を終了させる。その後、車両４を車両停止ポジションＰ３から発進させることにより、一連の洗車が完了する。
【００４８】
このように、図５に示すように、乾燥行程中においてもトップブラシ１１を回転させておくことで、トップブラシ１１の水切りが十分に行えるため、ヒーター等の特別な加熱装置を用いることなく、低コストでトップブラシ１１の凍結を防止することができ、トップブラシ１１が上限位置において洗車機本体３の天井部３１に氷結するといった不具合を防止することができる。
【００４９】
尚、図５の実線に示すように、乾燥行程中におけるトップブラシ１１の回転方向を逆回転（すなわちＢ方向）にすることによって、トップブラシ１１に付着した水滴は各ノズル１７，１８とは反対側である洗車機本体３の後側へ向かって飛散するため、洗車機本体３を後進させることにより、上記トップブラシ１１から飛散した水滴はその直後の上記各ノズル１７，１８の通過時に乾燥される。これにより、乾燥行程中にトップブラシ１１から飛散した水滴が車両４の表面に残存することを防止し得る。
【００５０】
また、乾燥行程中におけるトップブラシ１１の回転速度をブラッシング洗浄行程中におけるトップブラシ１１の回転速度よりも低速にしているため、万一、乾燥行程中において、トップブラシ１１が背の高い車両４の天井に設けられたキャリヤ等の付属品に干渉しても、トップブラシ１１とキャリヤ等の付属品とが受けるダメージを少なくすることができる。
【００５１】
尚、気温検出装置２４により検出された気温が一定値よりも高い場合、トップブラシ１１が氷結する心配はないと判断され、乾燥行程中におけるトップブラシ１１の回転を停止しているため、乾燥行程中に無駄な電力を消費することはなく、省エネルギーに役立つ。また、一年の大部分の気温が一定値以下となるような寒冷地においては、気温検出装置２４を用いず、常に乾燥行程中においてもトップブラシ１１を逆回転させるように構成してもよい。
【００５２】
上記実施の形態では、停止した車両４に対して洗車機本体３を前後方向へ往復走行させる形式の洗車機１を挙げたが、車両４をパレット（図示せず）上に載置し、このパレットと洗車機本体３とを共に前後反対方向へ往復走行させる形式の洗車機であってもよい。また、洗車機本体を床側２５に据え付け固定し、車両４をローラコンベヤ等の搬送装置で搬送しながら洗車機本体内で洗車する形式の洗車機であってもよい。
【００５３】
【発明の効果】
以上のように本第１発明によれば、気温検出装置により検出された気温が一定値以下になると、乾燥行程中においても洗浄用ブラシを回転させておくため、洗浄用ブラシの水切りが十分に行え、ヒーター等の特別な加熱装置を用いることなく、低コストで洗浄用ブラシの凍結を防止することができ、洗浄用ブラシが上限位置において洗車機本体の天井部に氷結するといった不具合を防止することができる。
【００５４】
また、気温検出装置により検出された気温が一定値よりも高い場合は、乾燥行程中において洗浄用ブラシの回転は停止される。このように、気温が一定値よりも高く、洗浄用ブラシの凍結の心配が無い場合には、乾燥行程中に洗浄用ブラシを回転させないため、乾燥行程中に無駄な電力を消費することはなく、省エネルギーに役立つ。
【００５５】
また、本第２発明によれば、乾燥行程中における洗浄用ブラシの回転をブラッシング洗浄行程中の回転に対して逆回転させることによって、洗浄用ブラシから飛散した水滴はその直後の乾燥用ノズルの通過時に乾燥されるため、乾燥行程中に洗浄用ブラシから飛散した水滴が車両の表面に残存することを防止し得る。
【００５６】
また、乾燥行程中における洗浄用ブラシの回転をブラッシング洗浄行程中の回転よりも低速で行うため、万一、乾燥行程中において、洗浄用ブラシが背の高い車両の天井に取付けられたキャリア等の付属品に干渉しても、洗浄用ブラシとキャリヤ等の付属品とが受けるダメージを少なくすることができる。
【００５７】
また、本第３発明によれば、乾燥行程中における洗浄用ブラシの回転をブラッシング洗浄行程中の回転に対して逆回転させることによって、洗浄用ブラシから飛散した水滴はその直後の乾燥用ノズルの通過時に乾燥されるため、乾燥行程中に洗浄用ブラシから飛散した水滴が車両の表面に残存することを防止し得る。
【００５８】
また、乾燥行程中における洗浄用ブラシの回転をブラッシング洗浄行程中の回転よりも低速で行うため、万一、乾燥行程中において、洗浄用ブラシが背の高い車両の天井に取付けられたキャリア等の付属品に干渉しても、洗浄用ブラシとキャリヤ等の付属品とが受けるダメージを少なくすることができる。
【００５９】
また、本第４発明によれば、停止している車両に対して洗車機本体を往走行させながら、洗浄用ブラシを回転させるとともに車両上面の高さに応じて昇降させることにより、ブラッシング洗浄行程が実施される。
【００６０】
上記ブラッシング洗浄行程の後、上記車両に対して洗車機本体を往走行させながら、乾燥用ノズルから車両表面に向けて乾燥用空気を噴射させることにより、乾燥行程が実施される。
【図面の簡単な説明】
【図1】本発明の実施の形態における洗車機本体の構成を示す側面図である。
【図2】同、洗車機本体の正面図である。
【図3】同、洗車機の制御系のブロック図である。
【図4】同、洗車機のブラッシング洗浄行程時の動作を示す図である。
【図5】同、洗車機の乾燥行程時の動作を示す図である。
【図6】従来の洗車機本体の構成を示す側面図である。
【図7】従来の洗車機の動作を示す図である。
【符号の説明】
１    洗車機
３    洗車機本体
４    車両
１１    トップブラシ（洗浄用ブラシ）
１７    サイドノズル（乾燥用ノズル）
１８    トップノズル（乾燥用ノズル）
２４    気温検出装置
【図１】
0003587057.tif 000002
【図２】
0003587057.tif 000003
【図３】
0003587057.tif 000004
【図４】
0003587057.tif 000005
【図５】
0003587057.tif 000006
【図６】
0003587057.tif 000007
【図７】
0003587057.tif 000008